(57)【要約】【課題】フレーム本体に支承される部材が季節の寒暖の変化により伸縮する場合においても、支承部材の伸縮に起因するフレーム本体の歪みを調節できる、フレーム本体の歪み調節機構を提供する。【解決手段】フレーム本体の歪み調節機構１は、フレーム本体５０の隅部５１，５２，５３，５４に配設されフレーム本体の変形を吸収する機構として形成される。フレーム本体の可動を導くＬ形チャンネル２１と、Ｌ形チャンネルの両端に配設され、Ｌ形チャンネルの端部に一端が係止され、係支片４１，４２の端部に他端が係止される圧縮コイルばね３１，３２と、圧縮コイルばね３１，３２の他端を係止しフレーム本体５０に固定される係支片４１，４２を備えている。【選択図】図１
2011187427.tif 000002
【特許請求の範囲】
【請求項１】
フレーム本体の隅部に配設されフレームの可動を導くＬ形チャンネルと、該Ｌ形チャンネルの両端に配設され、前記Ｌ形チャンネルの端部に一端が係止され、係支片の端部に他端が係止される圧縮コイルばねと、該圧縮コイルばねの他端を係止しフレーム本体に固定される係支片を備えたことを特徴とするフレーム本体の歪み調節機構。
【請求項２】
フレーム本体の歪み調節機構と、フレーム本体を含んで構成され、
前記フレーム本体の歪み調節機構は、前記フレーム本体の隅部に配設され前記フレーム本体の可動を導くＬ形チャンネルと、該Ｌ形チャンネルの両端に配設され、前記Ｌ形チャンネルの端部に一端が係止され、係支片の端部に他端が係止される圧縮コイルばねと、該圧縮コイルばねの他端を係止し前記フレーム本体に固定される係支片を備え、
前記フレーム本体は、上下、左右各一対のレール状のフレームメンバーにより矩形に形成され、前記各フレームメンバーの長手方向には第１の長溝と第２の長溝が隔壁を隔てて形成されるとともに前記第１の長溝の上部に前記第１の長溝とクリアランスを持った段部が形成され、前記フレームメンバーの少なくとも１本のフレームメンバーの前記第１の長溝にＬＥＤモジュールを差し込み、前記第２の長溝に前記Ｌ形チャンネルと前記圧縮コイルばねと前記係支片を収容し、前記第２の長溝により前記Ｌ形チャンネルと前記圧縮コイルばねの可動を案内し、前記第２の長溝に開口部を形成し、前記第２の長溝の前記開口部を挿通した止めねじを前記係支片に形成した雌ねじ部に螺合させ、さらに前記止めねじの先端を前記第２の長溝の頂面に衝接させることにより前記係支片を前記フレームメンバーに固定し、前記フレーム本体が上下左右に可動するように形成したことを特徴とするＬＥＤモジュールの収容に適する枠体。
【発明の詳細な説明】
【技術分野】
【０００１】本発明は、フレーム本体の歪み調節機構、およびＬＥＤモジュールの収容に適する枠体に関するものである。
【背景技術】
【０００２】複数のＬＥＤからなる光源が取り付けられた光源基板（ＬＥＤモジュール）を、アルミニウム製の枠体を用いて、高分子樹脂製の導光板の側端縁方向にその導光板から離隔して配置した照明装置が提案されている（特許文献１）。
【先行技術文献】
【０００３】
【特許文献１】  特開２００７−４１６２２号公報
【発明の概要】
【発明が解決しようとする課題】
【０００４】この照明装置の枠体は、光源から照射される光及び散乱体によって反射される光によって背面側から照らし出される広告看板を一対の導光板の外表面両側で支持固定するＵ字状の表示体支持固定手段と、光源基板を支持固定する凸状の基板支持固定手段と、導光板を支持固定する凸状の導光板支持固定手段とが押出成形により一体的に形成されている。このように、この発明にあっては、枠体はアルミニウ製の押し出し成型品により形成され、導光板がアクリル樹脂により形成されている場合には、導光板自体が季節の寒暖の変化により伸縮（−２０℃〜７０℃の温度差で１ｍ当り±８ｍｍ程度伸縮）するため、
（１）導光板の膨張にともないフレーム自体が強制的に歪められて変形し、あるいは導光    板の側端面に配設される光源基板（ＬＥＤモジュール）のＬＥＤ素子に導光板が当た    ってＬＥＤ素子を破損する、
（２）フレーム本体が施工・運搬時に衝撃（ショック）を受けると、ＬＥＤ素子の性能に    影響を与えたり、ＬＥＤ素子の損傷を招く場合がある、
等の問題点があった。
【解決手段】
【０００５】したがって、本発明の目的は、フレーム本体に支承される部材（例えば、導光板）が季節の寒暖の変化（温度変化）により伸縮する場合においても、支承部材の伸縮に起因するフレーム本体の歪みを調節できる、フレーム本体の歪み調節機構を提供することにある。
【０００６】本発明の他の目的は、フレーム本体が導光板と導光板の側端面に配設されるＬＥＤモジュールを支承する場合に導光板が季節の寒暖の変化により伸縮しても導光板がＬＥＤモジュール（ＬＥＤ素子）に当ることがなくＬＥＤ素子の破損を回避できる、フレーム本体の歪み調節機構、およびＬＥＤモジュールの収容に適する枠体を提供することにある。
【０００７】加えるに、本発明の目的は、施工・運搬時のショックを吸収しフレーム本体を常時適正な形状に維持してフレーム本体がＬＥＤモジュール等の物品を収容している場合、収容物品の性能に影響を与えたり、物品を損傷したりすることのない、フレーム本体の歪み調節機構、およびＬＥＤモジュールの収容に適する枠体を提供することにある。
【課題を解決するための手段】
【０００８】本発明に係るフレーム本体の歪み調節機構は、フレーム本体の隅部に配設されフレームの可動を導くＬ形チャンネルと、該Ｌ形チャンネルの両端に配設され、前記Ｌ形チャンネルの端部に一端が係止され、係支片の端部に他端が係止される圧縮コイルばねと、該圧縮コイルばねの他端を係止しフレーム本体に固定される係支片を備えたことを特徴としている。
【０００９】本発明に係るＬＥＤモジュールの収容に適する枠体は、フレーム本体の歪み調節機構と、フレーム本体を含んで構成される。前記フレーム本体の歪み調節機構は、前記フレーム本体の隅部に配設され前記フレーム本体の可動を導くＬ形チャンネルと、該Ｌ形チャンネルの両端に配設され、前記Ｌ形チャンネルの端部に一端が係止され、係支片の端部に他端が係止される圧縮コイルばねと、該圧縮コイルばねの他端を係止し前記フレーム本体に固定される係支片を備えている。前記フレーム本体は、上下、左右各一対のレール状のフレームメンバーにより矩形に形成され、前記各フレームメンバーの長手方向には第１の長溝と第２の長溝が隔壁を隔てて形成されるとともに前記第１の長溝の上部に前記第１の長溝とクリアランスを持った段部が形成され、前記フレームメンバーの少なくとも１本のフレームメンバーの前記第１の長溝にＬＥＤモジュールを差し込み、前記第２の長溝に前記Ｌ形チャンネルと前記圧縮コイルばねと前記係支片を収容し、前記第２の長溝により前記Ｌ形チャンネルと前記圧縮コイルばねの可動を案内し、前記第２の長溝に開口部を形成し、前記第２の長溝の前記開口部を挿通した止めねじを前記係支片に形成した雌ねじ部に螺合させ、さらに前記止めねじの先端を前記第２の長溝の頂面に衝接させることにより前記係支片を前記フレームメンバーに固定し、前記フレーム本体が上下左右に可動するように形成したことを特徴としている。
【発明の効果】
【００１０】本発明によれば、次の効果を奏する。
（１）フレーム本体に支承される部材（例えば、導光板）が季節の寒暖の変化（温度変化    ）により伸縮する場合においても、支承部材の伸縮に起因するフレーム本体の歪みを    調節できる、フレーム本体の歪み調節機構が得られる。
（２）フレーム本体が導光板と導光板の側端面に配設されるＬＥＤモジュールを支承する    場合に導光板が季節の寒暖の変化により伸縮しても導光板がＬＥＤモジュール（ＬＥ    Ｄ素子）に当ることがなくＬＥＤ素子の破損を回避できる、フレーム本体の歪み調節    機構、およびＬＥＤモジュールの収容に適する枠体が得られる。
（３）施工・運搬時のショックを吸収しフレーム本体を常時適正な形状に維持してフレー    ム本体がＬＥＤモジュール等の物品を収容している場合、収容物品の性能に影響を与    えたり、物品を損傷したりすることのない、フレーム本体の歪み調節機構、およびＬ    ＥＤモジュールの収容に適する枠体が得られる。
【図面の簡単な説明】
【００１１】
【図１】本発明に係るフレーム本体の歪み調節機構を備えた表示装置の正面図である。
【図２】図１の表示装置の左上部に位置するフレームメンバが導光板の膨張により拡開している状態を示す要部拡大略図である。
【図３】図１のＸ１−Ｘ１部端面拡大略図である。
【図４】図１のＸ２−Ｘ２部端面拡大略図である。
【図５】図１のＸ３−Ｘ３部端面拡大略図である。
【図６】図１のＸ４−Ｘ４部端面拡大略図である。
【図７】本発明に係るフレーム本体の歪み調節機構の要部を示す正面拡大図である。
【図８】本発明に係るフレーム本体の歪み調節機構の要部を示す平面拡大図である。
【図９】フレーム本体の歪み調節機構を構成する圧縮コイルばねを係止する径止部の他の例を示す拡大略図である。
【発明を実施するための形態】
【実施例】
【００１２】以下は本発明の実施例についての説明である。【００１３】図１および図２にフレーム本体の歪み調節機構を備えた表示手段を、図７および図８にフレーム本体の歪み調節機構を示す。【００１４】これらの図において、フレーム本体の歪み調節機構１は、フレーム本体５０の隅部５１，５２，５３，５４に配設されフレーム本体の変形を吸収する機構として形成される。このフレーム本体の歪み調節機構１は、フレーム本体の可動を導くＬ形チャンネル２１と、該Ｌ形チャンネルの両端に配設され、前記Ｌ形チャンネルの端部に一端が係止され、係支片４１，４２の端部に他端が係止される圧縮コイルばね３１，３２と、該圧縮コイルばね３１，３２の他端を係止し前記フレーム本体５０に固定される係支片４１，４２を備えている。【００１５】前記係支片４１（４２）には貫通した雌ねじ部４１Ａ（４２Ａ）が形成されている。【００１６】また、枠体２は、フレーム本体の歪み調節機構１と、フレーム本体５０を含んで構成される。【００１７】前記フレーム本体５０は、上下、左右各一対のレール状のフレームメンバー５５，５６，５７．５８より矩形に形成される。前記各フレームメンバーの長手方向には隔壁にて隔てられる第１の長溝６１，６２と第２の長溝７１，７２が形成されている。前記第１の長溝６１，の上部には、前記第１の長溝とクリアランスＣを持った段部８１，８２が形成されている。【００１８】前記各フレームメンバーの両端は斜辺部を有するように形成され、前記上下フレームメンバー５５，５６の両端は、常態において、前記左右フレームメンバー５７，５８の両端に当接している。今、導光板５が膨張すると、導光板５の膨張方向に位置するフレームメンバーは前記圧縮コイルばねに抵しながら当初は拡開するが、やがて圧縮コイルした状態に置かれる。【００１９】４本の前記レール状のフレームメンバーのうち、少なくとも１本のフレームメンバーの前記第１の長溝にＬＥＤモジュール７が差し込まれる。【００２０】前記第２の長溝６１（６２）には前記Ｌ形チャンネル２１と前記圧縮コイルばね３１（３２）と前記係支片４１（４２）が収容され、前記第２の長溝により前記Ｌ形チャンネルと前記圧縮コイルばねの可動が案内される。さらに、前記第２の長溝には開口部７５，７６が形成され、この開口部を挿通した止めねじ１０１を前記係支片に形成した雌ねじ部４１Ａ，４２Ａに螺合させ、さらに前記止めねじの先端を前記第２の長溝の頂面７１Ａ，７２Ａに衝接させることにより前記係支片を前記フレームメンバーに固定し、前記フレームが上下左右に可動するように形成する。【００２１】前記第１の長溝の上部には上記のとおり段部８１，８２が形成され、該段部に導光板５が支承された状態でＬＥＤ素子９と導光板５との間にはクリアランスＣが形成される。【００２２】図９に、フレームの歪み調節機構を構成する圧縮コイルばねの係止部の他の例を示す。上記の実施例１では圧縮コイルばねの両端をＬ形チャンネル及び係支片に形成した貫通孔２１Ｂ，４１Ｂに係止した例を示したが、図９実施例ではＬ形チャンネル１２１及び係支片１４１に形成した掛止部１２１Ｂ，１４１Ｂに圧縮コイルばね３１の両端を描止した例を示す。【００２３】かくして、寒暖の変化により導光板５が伸縮したり、施工・運搬時などの衝撃によりフレーム５０ががたつく場合でも、導光板がＬＥＤ素子に当ることを回避でき、ＬＥＤ素子への影響・破損を防止でき、また導光板に生じる変形・歪みを吸収し寒暖の差が有ってもフレームの形状を一定の形状に保つことができる。
【符号の説明】
【００２４】１        フレームの歪み調節機構
２        枠体
５        導光板
７        ＬＥＤモジュール
８        ＬＥＤ基板
９        ＬＥＤ素子
５０      フレーム本体
２１      Ｌ形チャンネル
３１      圧縮コイルばね
４１      係支片
５０      フレーム本体
５１      隅部
５５      フレームメンバー
６１      第１の長溝
６２      第１の長溝
７１      第２の長溝
７２      第２の長溝
７１Ａ    頂面
７２Ａ    頂面
７５      開口部
７６      開口部
８１      段部
８２      段部
【図１】
2011187427.tif 000003
【図２】
2011187427.tif 000004
【図３】
2011187427.tif 000005
【図４】
2011187427.tif 000006
【図５】
2011187427.tif 000007
【図６】
2011187427.tif 000008
【図７】
2011187427.tif 000009
【図８】
2011187427.tif 000010
【図９】
2011187427.tif 000011